(57)【要約】【課題】ユーザが手で大根等の被おろし物を把持し被おろし物をおろし板の上面に沿って移動させることにより被おろし物をすりおろすことをより楽に且つより早くできるおろし板の提供。【解決手段】おろし板１の表面側には、被おろし物２に係合可能であり表面側で表面１Ａに沿った所定の方向へ移動可能であり被おろし物２に係合した状態で被おろし物２を所定の方向へ移動させることにより被おろし物２と一体で所定の方向へ移動する被おろし物係合部４０を備える。また、表面側で表面１Ａに沿って移動可能な第１おろし面部２０、第２おろし面部３０を備える。また、被おろし物係合部４０の移動方向と反対の方向へ第１おろし面部２０、第２おろし面部３０を移動させるためのおろし面部反対方向移動手段たる第１ピニオン、第２ピニオンを備える。【選択図】図１
2010110472.tif 000002
【特許請求の範囲】
【請求項１】
略板状をなし、表面側におろし刃が設けられたおろし面部を有するおろし板において、
該表面側には、係合部ガイド部と、
おろし面部ガイド部と、
被おろし物に係合可能であり該係合部ガイド部により案内されて該表面側で該表面に沿った所定の方向へ移動可能であり、該被おろし物に係合した状態で該被おろし物を該所定の方向へ移動させることにより該被おろし物と一体で該所定の方向へ移動する被おろし物係合部とを備え、
該おろし面部は該おろし面部ガイド部により案内されて該表面側で該表面に沿って移動可能であり、該おろし面部の該おろし刃は、該被おろし物係合部と一体で該所定の方向へ移動する該被おろし物に当接可能であり、
該被おろし物係合部の移動方向と反対の方向へ該おろし面部を移動させるためのおろし面部反対方向移動手段を備えることを特徴とするおろし板。
【請求項２】
該おろし面部反対方向移動手段は、該被おろし物係合部の移動方向に沿って該被おろし物係合部に設けられた被おろし物係合部ラックと、該被おろし物係合部ラックに対向配置され該おろし面部の移動方向に沿って該おろし面部に設けられたおろし面部ラックと、該被おろし物係合部ラックと該おろし面部ラックとの間に配置され該被おろし物係合部ラックと該おろし面部ラックとにそれぞれ噛合するピニオンとを備えることを特徴とする請求項１記載のおろし板。
【請求項３】
該係合部ガイド部は、該被おろし物係合部が該表面に沿って円を描くような軌跡で移動可能な円状係合部ガイド部からなり、
該おろし面部ガイド部は、該おろし面部が該表面に沿って該被おろし物係合部の移動の軌跡と同軸的な円を描くような軌跡で移動可能な円状おろし面部ガイド部からなることを特徴とする請求項１記載のおろし板。
【請求項４】
該係合部ガイド部は、該被おろし物係合部が該表面に沿って直線を描くような軌跡で移動可能な直線状係合部ガイド部からなり、
該おろし面部ガイド部は、該おろし面部が該表面に沿って該被おろし物係合部の移動軌跡と平行な直線を描くような軌跡で移動可能な直線状おろし面部ガイド部からなることを特徴とする請求項１記載のおろし板。
【発明の詳細な説明】
【技術分野】
【０００１】
本発明はおろし板に関し、特にユーザが手で大根等の被おろし物を把持し、被おろし物をおろし板の上面に沿って移動させることにより被おろし物をすりおろすことができるおろし板に関する。
【背景技術】
【０００２】
従来よりおろし板としては、略板状をなし、表面側に多数のおろし刃が設けられた構成のものが知られている。ユーザは、手で大根等の被おろし物を把持し、被おろし物をおろし刃に当接させるようにしておろし板の表面側に押し付けながら当該被おろし物をおろし板の上面に沿って移動させることにより、被おろし物をすりおろす。このようなおろし板は、例えば実開平３−１０３０４８号公報に記載されている。
【０００３】
また、かき氷を作るときに用いられる装置をそのまま用いて、氷に代えて大根等の被おろし物をすりおろす装置が、例えば特開平０８−０７１００９号公報に記載されている。
【特許文献１】実開平３−１０３０４８号公報
【特許文献２】特開平０８−０７１００９号公報
【発明の開示】
【発明が解決しようとする課題】
【０００４】
しかし、実開平３−１０３０４８号公報記載の従来のおろし板では、大根等の野菜をすりおろす際にユーザの手及び腕に負担がかかり、大根等をすりおろすユーザは多大な疲労感を感じていた。日常的に料理を作る機会は一般に男性よりも女性の方が多いのであるが、腕力や握力のそれほど強くない女性にとっては、大根等をすりおろすことは重労働であった。
【０００５】
また、特開平０８−０７１００９号公報記載の装置では、装置自体が大きくなり、一般に比較的狭い台所において、当該装置を使用しないときに装置収納するための場所をとってしまうという問題がある。また、実開平３−１０３０４８号公報記載の従来のおろし板と比較して、手軽に収納場所から出してきてすぐに使用するという訳にはいかず、また、使用後の洗浄等の手間がかかり、総合的に見て実用的ではなく、一般家庭においてあまり用いられていない。
【０００６】
そこで、本発明は、ユーザが手で大根等の被おろし物を把持し、被おろし物をおろし板の上面に沿って移動させることにより被おろし物をすりおろすことをより楽に且つより早くできるおろし板を提供することを目的とする。
【課題を解決するための手段】
【０００７】
上記目的を達成するために、本発明は、略板状をなし、表面側におろし刃が設けられたおろし面部を有するおろし板において、該表面側には、係合部ガイド部と、おろし面部ガイド部と、被おろし物に係合可能であり該係合部ガイド部により案内されて該表面側で該表面に沿った所定の方向へ移動可能であり、該被おろし物に係合した状態で該被おろし物を該所定の方向へ移動させることにより該被おろし物と一体で該所定の方向へ移動する被おろし物係合部とを備え、該おろし面部は該おろし面部ガイド部により案内されて該表面側で該表面に沿って移動可能であり、該おろし面部の該おろし刃は、該被おろし物係合部と一体で該所定の方向へ移動する該被おろし物に当接可能であり、該被おろし物係合部の移動方向と反対の方向へ該おろし面部を移動させるためのおろし面部反対方向移動手段を備えるおろし板を提供している。
【０００８】
表面側には、係合部ガイド部と、おろし面部ガイド部と、被おろし物に係合可能でありガイド部により案内されて表面側で表面に沿った所定の方向へ移動可能であり、被おろし物に係合した状態で被おろし物を所定の方向へ移動させることにより被おろし物と一体で所定の方向へ移動する被おろし物係合部とを備え、おろし面部はおろし面部ガイド部により案内されて表面側で表面に沿って移動可能であり、おろし面部のおろし刃は、被おろし物係合部と一体で所定の方向へ移動する被おろし物に当接可能であり、被おろし物係合部の移動方向と反対の方向へおろし面部を移動させるためのおろし面部反対方向移動手段を備えるため、表面側において被おろし物係合部に係合した状態の被おろし物を表面に沿って移動させることにより、おろし面部を被おろし物係合部及び被おろし物の移動方向と反対の方向へ移動させることができる。
【０００９】
このため、静止しているおろし面部のおろし刃に対して被おろし物がこすられる速度の２倍の速度で、おろし面部のおろし刃に対して被おろし物をこすることができる。ユーザは、被おろし物を自分がすりおろすことができる力の範囲内で被おろし物をすりおろすため、極端に強く被おろし物をおろし面部のおろし刃に押し付けることはせずに、適度に被おろし物をおろし面部のおろし刃に押し付けるため、被おろし物のすりおろしをより早く且つより楽にすることができる。
【００１０】
ここで、該おろし面部反対方向移動手段は、該被おろし物係合部の移動方向に沿って該被おろし物係合部に設けられた被おろし物係合部ラックと、該被おろし物係合部ラックに対向配置され該おろし面部の移動方向に沿って該おろし面部に設けられたおろし面部ラックと、該被おろし物係合部ラックと該おろし面部ラックとの間に配置され該被おろし物係合部ラックと該おろし面部ラックとにそれぞれ噛合するピニオンとを備えることが好ましい。
【００１１】
おろし面部反対方向移動手段は、被おろし物係合部の移動方向に沿って被おろし物係合部に設けられた被おろし物係合部ラックと、被おろし物係合部ラックに対向配置されおろし面部の移動方向に沿っておろし面部に設けられたおろし面部ラックと、被おろし物係合部ラックとおろし面部ラックとの間に配置され被おろし物係合部ラックとおろし面部ラックとにそれぞれ噛合するピニオンとを備えるため、簡単な構成でおろし面部反対方向移動手段を構成することができ、安価なおろし板とすることができる。
【００１２】
また、該係合部ガイド部は、該被おろし物係合部が該表面に沿って円を描くような軌跡で移動可能な円状係合部ガイド部からなり、該おろし面部ガイド部は、該おろし面部が該表面に沿って該被おろし物係合部の移動の軌跡と同軸的な円を描くような軌跡で移動可能な円状おろし面部ガイド部からなることが好ましい。
【００１３】
係合部ガイド部は、被おろし物係合部が表面に沿って円を描くような軌跡で移動可能な円状係合部ガイド部からなり、おろし面部ガイド部は、おろし面部が表面に沿って被おろし物係合部の移動の軌跡と同軸的な円を描くような軌跡で移動可能な円状おろし面部ガイド部からなるため、おろし板に対する被おろし物の移動を一時的に停止させたり減速させたりせずに済み、おろし板の表板側において被おろし物を往復させることにより被おろし物をすりおろす場合と比較して効率よくすりおろすことができる。
【００１４】
また、該係合部ガイド部は、該被おろし物係合部が該表面に沿って直線を描くような軌跡で移動可能な直線状係合部ガイド部からなり、該おろし面部ガイド部は、該おろし面部が該表面に沿って該被おろし物係合部の移動軌跡と平行な直線を描くような軌跡で移動可能な直線状おろし面部ガイド部からなることが好ましい。
【００１５】
係合部ガイド部は、被おろし物係合部が表面に沿って直線を描くような軌跡で移動可能な直線状係合部ガイド部からなり、おろし面部ガイド部は、おろし面部が表面に沿って被おろし物係合部の移動軌跡と平行な直線を描くような軌跡で移動可能な直線状おろし面部ガイド部からなるため、おろし面部及び被おろしの移動方向に垂直の方向におけるおろし板の幅を比較的小さくすることができる。
【発明の効果】
【００１６】
以上により、本発明は、ユーザが手で大根等の被おろし物を把持し、被おろし物をおろし板の上面に沿って移動させることにより被おろし物をすりおろすことをより楽に且つより早くできるおろし板を提供することができる。
【発明を実施するための最良の形態】
【００１７】
本発明の実施の形態によるおろし板について図１乃至図２に基づき説明する。図１に示されるように、おろし板１は、略板状をした枠板部１０と、第１おろし面部２０と、第２おろし面部３０と、被おろし物係合部４０と、係合部ガイド部と、おろし面部ガイド部と、ピニオンとを備えている。以下の説明では、おろし板１の図２に示される上側、即ち、図１に示される紙面の表側をおろし板１の表面側とし、おろし板１の図２に示される下側、即ち、図１に示される紙面の裏側をおろし板１の裏面側とする。また、表面側における枠板部１０の端面全体をおろし板１の表面１Ａとし、裏面側における枠板部１０の端面全体をおろし板１の裏面１Ｂとする。
【００１８】
枠板部１０は、図１に示されるように、平面視においておろし板１の輪郭を規定しており、平面視で略長方形状をなし、その長手方向の一端には、図１の下方へ突出し、ユーザが手で把持可能な把持部１１を有している。枠板部１０の略長方形状をなす部分の中央部には平面視で円形をなす貫通孔１０ａが形成されており、貫通孔１０ａ内には、図１に示されるように、貫通孔１０ａを跨ぐようにして平面視で貫通孔１０ａの中央から八方へ放射状に延出する支持リブ１０Ａが、貫通孔１０ａの周面に至るまで設けられている。支持リブ１０Ａには、後述のように第１おろし面部２０と、第２おろし面部３０と、被おろし物係合部４０と、ピニオンとが支持されている。
【００１９】
係合部ガイド部は枠板部１０に設けられている。係合部ガイド部は、図２に示されるように、後述の被おろし物係合部４０の裏面方向突出部４２が係合可能な溝１０ｂが形成された枠板部１０の表面側の部分により構成されている。溝１０ｂは、図１に示される後述の係合部ガイド部と同様に、平面視で円形をなす貫通孔１０ａと同軸的に平面視で環状に形成されており、大根等の被おろし物２をすりおろしている最中には、溝１０ｂには常時後述の被おろし物係合部４０の裏面方向突出部４２が係合した状態となっている。係合部ガイド部は円状係合部ガイド部に相当する。
【００２０】
おろし面部ガイド部は枠板部１０に設けられている。おろし面部ガイド部は、図２に示されるように、後述の略ドーナッツ状の円盤形状をなす第１おろし面部２０を収容可能な第１収容凹部１０ｃと、後述の略ドーナッツ状の円盤形状をなす第２おろし面部３０を収容可能な第２収容凹部１０ｄとが形成された枠板部１０の表面側の部分により構成されている。おろし面部ガイド部は円状おろし面部ガイド部に相当する。
【００２１】
第１収容凹部１０ｃは、平面視で溝１０ｂよりも貫通孔１０ａの半径方向外方、即ち、図２において溝１０ｂよりも左側に、溝１０ｂと同軸的に環状をなして枠板部１０の表面側から裏面側へ向かう方向へ窪んで形成されている。第１収容凹部１０ｃを画成する枠板部１０の部分であって貫通孔１０ａの周面近傍の部分には、第１収容部凹部画成段部１０Ｂが設けられており、第１収容部凹部画成段部１０Ｂには後述の第１おろし面部２０の第１おろし面部外周段部２２が係合可能である。大根等の被おろし物２をすりおろしている最中には、常時後述の第１おろし面部２０の第１おろし面部外周段部２２が第１収容部凹部画成段部１０Ｂに係合した状態となっており、この係合により後述の第１おろし面部２０は、平面視でその周方向へ貫通孔１０ａの中心を中心として、図１に示されるように第２おろし面部３０及び被おろし物係合部４０の半径方向外方において、枠板部１０の表面側において表面１Ａに沿ってガイドされて移動可能である。
【００２２】
第２収容凹部１０ｄは、平面視で溝１０ｂよりも貫通孔１０ａの半径方向内方、即ち、図２において溝１０ｂよりも右側に、平面視で溝１０ｂと同軸的に環状をなして枠板部１０の表面側から裏面側へ向かって窪んで形成されている。第２収容凹部１０ｄを画成する枠板部１０の部分であって貫通孔１０ａの中央近傍の部分には、第２収容部凹部画成段部１０Ｃが設けられており、第２収容部凹部画成段部１０Ｃには後述の第２おろし面部３０の第２おろし面部内周段部３２が係合可能である。大根等の被おろし物２をすりおろしている最中には、常時後述の第２おろし面部３０の第２おろし面部内周段部３２が第２収容部凹部画成段部１０Ｃに係合した状態となっており、この係合により、後述の第２おろし面部３０は、平面視でその周方向へ貫通孔１０ａの中心を中心として、図１に示されるように第１おろし面部２０及び被おろし物係合部４０の半径方向内方において、枠板部１０の表面側において表面１Ａに沿ってガイドされて移動可能である。
【００２３】
被おろし物係合部４０は、図１に示される平面視で貫通孔１０ａの半径方向に厚さの薄いリング状をなしており、平面視で貫通孔１０ａと同軸的に配置されている。被おろし物係合部４０は、図２に示されるように、枠板部１０の表面側へ突出する被おろし物係合突起４１と、枠板部１０の表面側へ突出する裏面方向突出部４２とを備えている。
【００２４】
裏面方向突出部４２はリング状をなす被おろし物係合部４０の図２に示される下端をなし、被おろし部の全周に渡って設けられている。被おろし物係合突起４１は、図２の上方からユーザが大根等の被おろし物２を当接させ図２の下方へ押圧することにより、図２に示されるように被おろし物２に突き刺さるように構成されている。このように突き刺さった状態で被おろし物２を貫通孔１０ａの中心を中心として表面１Ａに沿って移動させることにより、被おろし物２と被おろし物係合部４０とは一体で同方向へ移動可能である。この際、裏面方向突出部４２は前述のように溝１０ｂに係合しているため、溝１０ｂを画成する係合部ガイド部により被おろし物係合部４０が、図１に示される平面視で貫通孔１０ａの中心を中心として回転移動するようにガイドされる。
【００２５】
裏面方向突出部４２の基部には被おろし物係合部ラック４３、４４が設けられている。図２に示されるように、被おろし物係合部ラック４３、４４は裏面方向突出部４２の基部の部分であって平面視で貫通孔１０ａの半径方向内方側と半径方向外方側との両側に、被おろし物係合部４０の全周にわたりそれぞれ設けられている。
【００２６】
第１おろし面部２０は、図１に示されるように略ドーナッツ状の円盤形状をなしており、第１収容凹部１０ｃ内において枠板部１０に対して摺動可能に収容されている。第１おろし面部２０の表面側、即ち、図２に示される第１おろし面部２０の上部には、おろし刃２１が多数形成されている。おろし刃２１は、図２の上方へ突出しており、後述のように、被おろし物係合部４０に係合した状態で被おろし物係合部４０と一体で表面側において表面１Ａに沿って貫通孔１０ａの中心を中心として回転移動させられる被おろし物２に当接可能である。おろし刃２１の近傍位置には、おろし刃２１が形成されることにより形成され枠板部１０の表面側と裏面側とを結ぶ方向たる図２の上下方向へ第１おろし面部２０を貫通する貫通孔２０ａがそれぞれ形成されている。
【００２７】
第１おろし面部２０の外周縁部には第１おろし面部外周段部２２が設けられている。第１おろし面部外周段部２２は、図２に示されるように階段状をなし、第１おろし面部２０の外周縁部の全周に渡り設けられている。また、第１おろし面部２０の内周縁部には図２に示されるように、第１おろし面部ラック２３が第１おろし面部２０の内周の全周にわたり設けられている。第１おろし面部ラック２３は、図２に示されるように後述の第１ピニオン１２に噛合しており、おろし面部反対方向移動手段に相当する。
【００２８】
第２おろし面部３０は、図１に示されるように略ドーナッツ状の円盤形状をなしており、第２収容凹部１０ｄ内に枠板部１０に対して摺動可能に収容されている。第２おろし面部３０の表面側、即ち、図２に示される第２おろし面部３０の上部には、おろし刃３１が多数形成されている。おろし刃３１は、第１おろし面部２０と同様に図２の上方へ突出しており、後述のように、被おろし物係合部４０に係合した状態で被おろし物係合部４０と一体で表面側において表面１Ａに沿って貫通孔１０ａの中心を中心として回転移動させられる被おろし物２に当接可能である。おろし刃３１の近傍位置には、おろし刃３１が形成されることにより形成され枠板部１０の表面側と裏面側とを結ぶ方向たる図２の上下方向へ第２おろし面部３０を貫通する貫通孔３０ａがそれぞれ形成されている。
【００２９】
平面視で第２おろし面部３０の内周縁部には第２おろし面部内周段部３２が設けられている。第２おろし面部内周段部３２は、図２に示されるように階段状をなし、第２おろし面部３０の内周縁部の全周に渡り設けられている。また、第２おろし面部３０の外周縁部には図２に示されるように、第２おろし面部ラック３３が第２おろし面部３０の内周の全周にわたり設けられている。第１おろし面部ラック２３と第２おろし面部ラック３３とは、第２おろし面部３０の外周の周方向におけるいずれの位置においても互いに対向している。第２おろし面部ラック３３は、図２に示されるように後述の第２ピニオン１３に噛合しており、おろし面部反対方向移動手段に相当する。なお、図２においては説明の便宜上第１おろし面部２０、第２おろし面部３０、枠板部１０の図の上下方向の厚さがかなり厚く図示されているが、実際には図に示されるよりも薄く構成される。従って貫通孔２０ａ、３０ａの貫通方向における長さは図に示されるよりもはるかに短い。
【００３０】
ピニオンは、第１ピニオン１２と第２ピニオン１３とからなり、おろし面部反対方向移動手段に相当する。第１ピニオン１２は、図２に示されるように、枠板部１０の部分であって平面視で貫通孔１０ａの半径方向において互いに対向する第１おろし面部２０の内周縁部と被おろし物係合部４０の外周側との間の部分に配置されており、枠板部１０に回転可能に支承されている。第１ピニオン１２の回転軸は貫通孔１０ａの貫通方向たる図２の上下方向に指向しており、第１おろし面部ラック２３と、被おろし物係合部４０の裏面方向突出部４２の基部の平面視で貫通孔１０ａの半径方向外方側に設けられている被おろし物係合部ラック４３とにそれぞれ噛合している。
【００３１】
第２ピニオン１３は、図２に示されるように、枠板部１０の部分であって平面視で貫通孔１０ａの半径方向において互いに対向する第２おろし面部３０の外周縁部と被おろし物係合部４０の内周側との間の部分に配置されており、枠板部１０に回転可能に支承されている。第２ピニオン１３の回転軸は貫通孔１０ａの貫通方向たる図２の上下方向に指向しており、第２おろし面部ラック３３と、被おろし物係合部４０の裏面方向突出部４２の基部の平面視で貫通孔１０ａの半径方向内方側に設けられている被おろし物係合部ラック４４とにそれぞれ噛合している。
【００３２】
ユーザは、先ず、被おろし物２たる輪切りにされた大根の一部を被おろし物係合突起４１に突き刺して、図２に示されるように、被おろし物係合部４０に係合させるとともに、図２に示される被おろし物２の下面を第１おろし面部２０及び第２おろし面部３０のおろし刃２１、３１に当接させる。次に、被おろし物２を被おろし物係合部４０に係合させた状態で被おろし物係合部４０と一体で、表面側において表面１Ａに沿って貫通孔１０ａの中心を中心として、例えば、図１の平面視において時計回り方向へ円を描くような軌跡で被おろし物２を回転移動させる。この回転移動方向は所定の方向に相当する。
【００３３】
すると、被おろし物係合部４０の被おろし物係合部ラック４３、４４も同方向へ回転移動するため、被おろし物係合部ラック４３、４４が第１ピニオン１２及び第２ピニオン１３を回転させ、第１ピニオン１２、第２ピニオン１３は、第１おろし面部ラック２３及び第１おろし面部２０と、第２おろし面部ラック３３及び第２おろし面部３０とを、それぞれ図１の平面視において被おろし物係合部４０の移動の軌跡と同軸的な円を描くような軌跡で反時計回り方向へ回転移動させる。
【００３４】
このことにより、静止している第１おろし面部２０、第２おろし面部３０のおろし刃２１、３１に対して被おろし物２がこすられる速度の２倍の速度で、第１おろし面部２０、第２おろし面部３０のおろし刃２１、３１に対して被おろし物２をこすることができる。ユーザは、被おろし物２を自分がすりおろすことができる力の範囲内で被おろし物２をすりおろすため、極端に強く被おろし物２を第１おろし面部２０、第２おろし面部３０のおろし刃２１、３１に押し付けることはせずに、適度に被おろし物２を第１おろし面部２０、第２おろし面部３０のおろし刃２１、３１に押し付け、被おろし物２のすりおろしをより早く且つより楽にすることができる。
【００３５】
また、おろし面部反対方向移動手段は、被おろし物係合部４０の移動方向に沿って被おろし物係合部４０に設けられた被おろし物係合部ラック４３、４４と、被おろし物係合部ラック４３、４４に対向配置され第１おろし面部２０、第２おろし面部３０の移動方向に沿っておろし面部に設けられた第１おろし面部ラック２３、第２おろし面部ラック３３と、被おろし物係合部ラック４３、４４と第１おろし面部ラック２３、第２おろし面部ラック３３との間に配置され被おろし物係合部ラック４３、４４と第１おろし面部ラック２３、第２おろし面部ラック３３とにそれぞれ噛合するピニオンとを備えるため、簡単な構成でおろし面部反対方向移動手段を構成することができ、安価なおろし板１とすることができる。
【００３６】
また、係合部ガイド部は、被おろし物係合部４０が表面１Ａに沿って円を描くような軌跡で移動可能な円状係合部ガイド部からなり、おろし面部ガイド部は、おろし面部が表面１Ａに沿って被おろし物係合部４０の移動の軌跡と同軸的な円を描くような軌跡で移動可能な円状おろし面部ガイド部からなるため、おろし板１に対する被おろし物２の移動を一時的に停止させたり減速させたりせずに済み、おろし板の表板側において被おろし物を往復させることにより被おろし物をすりおろす場合と比較して効率よくすりおろすことができる。
【００３７】
本発明によるおろし板は、上述した実施の形態に限定されず、特許請求の範囲に記載した範囲で種々の変形や改良が可能である。例えば、本実施の形態では、被おろし物係合部４０、第１おろし面部２０、第２おろし面部３０は円を描くような軌跡で回転移動するような構成であったが、このような円を描くような軌跡に限定されず、また、被おろし物係合部、第１おろし面部、第２おろし面部の形状は本実施の形態による形状に限定されない。
【００３８】
例えば、図３に示されるように、被おろし物係合部１４０、第１おろし面部１２０、第２おろし面部１３０はそれぞれ図３の上下方向へ延出するような長方形状又は略直線状をなすように構成してもよい。
【００３９】
また、係合部ガイド部は、図３に示されるように、被おろし物係合部１４０が表面１０１Ａに沿って直線を描くような軌跡で移動可能な直線状係合部ガイド部からなり、おろし面部ガイド部は、第１おろし面部１２０、第２おろし面部１３０が表面１０１Ａに沿って被おろし物係合部１４０の移動軌跡と平行な直線を描くような軌跡で移動可能な直線状おろし面部ガイド部からなるような構成としてもよい。このような構成とすることで、図３に示されるように、被おろし物係合部１４０、第１おろし面部１２０、第２おろし面部１３０が図３の上下方向へ直線状に移動可能とすることができる。
【００４０】
この場合であっても、本実施の形態と同様に例えば、被おろし物係合部１４０の移動方向に沿って被おろし物係合部１４０に設けられた図示せぬ被おろし物係合部ラックと、図示せぬ被おろし物係合部ラックに対向配置され第１おろし面部１２０、第２おろし面部１３０の移動方向に沿って第１おろし面部１２０、第２おろし面部１３０に設けられた図示せぬ第１おろし面部ラック、第２おろし面部ラックと、図示せぬ被おろし物係合部ラックと図示せぬ第１おろし面部ラック、第２おろし面部ラックとの間に配置され図示せぬ被おろし物係合部ラックと図示せぬ第１おろし面部ラック、第２おろし面部ラックとにそれぞれ噛合する図示せぬピニオンとを備えるようなおろし面部反対方向移動手段を備えることで、被おろし物係合部１４０を例えば図３の上側へ向かう方向へ被おろし物２と一体で直線状に移動させた場合には、第１おろし面部１２０、第２おろし面部１３０は図３の下側へ直線状に移動する。このような構成とすることで第１おろし面部１２０、第２おろし面部１３０及び被おろし物係合部１４０の移動方向に垂直の方向におけるおろし板１０１の幅を比較的小さくすることができる。この場合、図３の上側へ向かう方向は所定の方向に相当する。
【００４１】
また、枠板部の形状は本実施の形態における枠板部１０の形状に限定されない。また、被おろし物２は大根に限定されず、例えば生姜やニンニク等であってもよい。
【００４２】
また、被おろし物係合突起の形は、本実施の形態のように被おろし物に刺すような構成に限られない。例えば、おろし板の表面に沿った方向における被おろし物の外周部に当接可能な枠のような構成として、同方向へ被おろし物が移動させられることにより被おろし物が被おろし物係合突起に当接して被おろし物係合突起と被おろし物とが一体で移動可能とし、被おろし物に刺さずに済む構成としてもよいし、被おろし物を挟み挟持するような構成としてもよい。
【００４３】
また、ユーザは、被おろし物２を被おろし物係合部４０に係合させた状態で被おろし物係合部４０と一体で、表面側において表面１Ａに沿って貫通孔１０ａの中心を中心として、図１の平面視において時計回り方向へ円を描くような軌跡で被おろし物２を回転移動させたが、このような時計回り方向に限定されず、反時計回り方向へ回転移動させてもよい。この場合には、反時計回り方向が所定の方向に相当する。同様に、上述の変形例においては、被おろし物係合部１４０を図３の上側へ向かう方向へ被おろし物２と一体で直線状に移動させたが、図３の上側へ向かう方向に限定されず、図３の下側へ向かう方向であってもよい。この場合には、図３の下側へ向かう方向が所定の方向に相当する。
【産業上の利用可能性】
【００４４】
本発明のおろし板は、収納場所をとらず組立てが不要で使いたいときにすぐに使え洗浄の簡単なおろし板の分野において特に有用である。
【図面の簡単な説明】
【００４５】
【図１】本発明の実施の形態によるおろし板を示す平面図。
【図２】図１のＩＩ−ＩＩ線に沿った要部断面図。
【図３】本発明の実施の形態によるおろし板の変形例を示す平面図。
【符号の説明】
【００４６】
１、１０１      おろし板
２              被おろし物
１Ａ、１０１Ａ  表面
１Ｂ            裏面
１２            第１ピニオン
１３            第２ピニオン
１０ｂ          溝
１０ｃ          第１収容凹部
１０ｄ          第２収容凹部
１０Ｂ          第１収容部凹部画成段部
１０Ｃ          第２収容部凹部画成段部
２０、１２０    第１おろし面部
２１、３１      おろし刃
２３            第１おめし面部ラック
３０、１３０    第２おろし面部
３３            第２おめし面部ラック
４０、１４０    被おろし物係合部
４１            被おろし物係合突起
４３            裏面方向突出部
４３、４４      被おろし物係合部ラック
【図１】
2010110472.tif 000003
【図２】
2010110472.tif 000004
【図３】
2010110472.tif 000005